(57)【要約】【課題】  循環スリーブの位相合わせ作業を容易に行うことができる直動案内軸受装置を提供する。【解決手段】  スライダ２が、軸方向に貫通する孔７に循環スリーブ８が嵌め込まれて該循環スリーブ８の内部が転動体通路８ａとされたスライダ本体２Ａと、負荷軌道と転動体通路８ａとを連通する湾曲状の方向転換路１０を有してスライダ本体２Ａの軸方向の端部に固定されたエンドキャップ９とを具備した直動案内軸受装置であって、前記循環スリーブ８の少なくとも一方の端部にスライダ本体２Ａの軸方向の端面に沿って延びる突出部２０を設ける。【選択図】      図１
2006052841.tif 000002
【特許請求の範囲】
【請求項１】
軸方向に延びる転動体転動溝を有する案内レールと、該案内レールの前記転動体転動溝に対向する転動体転動溝を有し、これらの両転動体転動溝の間に形成された負荷軌道に挿入された転動体としての多数のころの転動を介して軸方向に沿って相対移動可能に前記案内レールに跨架されたスライダとを備え、
前記スライダは、軸方向に貫通する孔に循環スリーブが嵌め込まれて該循環スリーブの内部が転動体通路とされたスライダ本体と、前記負荷軌道と前記転動体通路とを連通する湾曲状の方向転換路を有して前記スライダ本体の軸方向の端部に固定されたエンドキャップとを具備した直動案内軸受装置であって、
前記循環スリーブの少なくとも一方の端部に前記スライダ本体の軸方向の端面に沿って延びる突出部を設けたことを特徴とする直動案内軸受装置。
【請求項２】
前記エンドキャップに前記突出部が嵌合される凹部を設け、該突出部を前記凹部に嵌合することにより、前記スライダ本体に対する前記循環スリーブの位相を合わせることを特徴とする請求項１に記載した直動案内軸受装置。
【請求項３】
前記突出部が前記方向転換路の一部を形成することを特徴とする請求項１又は２に記載した直動案内軸受装置。
【請求項４】
前記スライダ本体の軸方向の端部に凹部を設けると共に、前記突出部に前記凹部に嵌合される凸部を設け、該凸部を前記凹部に嵌合することにより、前記スライダ本体に対する前記循環スリーブの位相を合わせることを特徴とする請求項１に記載した直動案内軸受装置。
【請求項５】
前記突出部を含む前記循環スリーブは、その循環スリーブの中心軸に沿って二分割された第一の循環スリーブ構成部材と第二の循環スリーブ構成部材とから形成され、
前記第一の循環スリーブ構成部材及び前記第二の循環スリーブ構成部材のうち少なくとも一方に、両者を識別するための色彩が施されていることを特徴とする請求項１乃至４のうちいずれか１項に記載した直動案内軸受装置。
【請求項６】
軸方向に延びる転動体転動溝を有する案内レールと、該案内レールの前記転動体転動溝に対向する転動体転動溝を有し、これらの両転動体転動溝の間に形成された負荷軌道に挿入された転動体としての多数のころの転動を介して軸方向に沿って相対移動可能に前記案内レールに跨架されたスライダとを備えた直動案内軸受装置であって、
前記直動案内軸受装置を構成する部品のうち、一対となる対象形状の部品について、前記一対となる部品のうち少なくとも一方に、両者を識別するための色彩が施されていることを特徴とする直動案内軸受装置。
【発明の詳細な説明】
【技術分野】
【０００１】
本発明は、例えば産業機械分野等に用いられる直動案内軸受装置に関する。
【背景技術】
【０００２】
従来のこの種の直動案内軸受装置としては、例えば図７に示すものが知られている（例えば特許文献１参照）。
この直動案内軸受装置は、軸方向に延びる案内レール１と、該案内レール１上に軸方向に相対移動可能に跨架されたスライダ２とを備えており、案内レール１の幅方向の両側面にはそれぞれ軸方向に延びる転動体転動溝３が片側二条列ずつ、合計４条列形成されている。
【０００３】
スライダ２のスライダ本体２Ａには、その両袖部４の内側面にそれぞれ転動体転動溝３に対向する転動体転動溝５が形成されており、これらの両転動体転動溝３，５によって負荷軌道が形成されている。
負荷軌道には転動体としての多数の円筒ころ６が転動自在に装填され、これらの円筒ころ６の転動を介してスライダ２が案内レール１上を軸方向に沿って相対移動できるようになっている。
【０００４】
この移動につれて、案内レール１とスライダ２との間に介在する円筒ころ６は転動してスライダ２の軸方向の端部に移動するが、スライダ２を軸方向に継続移動させていくためには、これらの円筒ころ６を無限に循環させる必要がある。
このため、スライダ本体２Ａの袖部４内に軸方向に貫通する円形の孔７を形成して該孔７に内部が円筒ころ６の通路（転動体通路）８ａとされた循環スリーブ８を嵌め込むと共に、スライダ本体２Ａの軸方向の両端にそれぞれエンドキャップ９をねじ等を介して固定し、このエンドキャップ９に上記負荷軌道と上記転動体通路８ａとを連通する円弧状に湾曲した方向転換路１０を形成することにより、円筒ころ６の無限循環軌道を形成している。
【０００５】
なお、方向転換路１０は、上側の転動体通路８ａと下側の両転動体転動溝３，５間とを連通するものと、下側の転動体通路８ａと上側の両転動体転動溝３，５間とを連通するものが互いに立体交差するように配置されている。
【特許文献１】特開２００２−５４６３３号公報
【発明の開示】
【発明が解決しようとする課題】
【０００６】
上記従来の直動案内軸受装置においては、スライダ本体２Ａの孔７に嵌め込まれる循環スリーブ８の転動体通路８ａは円筒ころ６の通路で断面長方形状をなしていることから、前記無限循環軌道を形成するためには、循環スリーブ８を孔７に挿入する際に、孔７に対して循環スリーブ８の位相が合うように注意深く挿入するか、挿人後に循環スリーブ８の位相が合うように循環スリーブ８を回転させる作業が必要となり、この作業が面倒であるという問題がある。
本発明はこのような不都合を解消するためになされたものであり、循環スリーブの位相合わせ作業を容易に行うことができるとともに、円滑に組立を行うことができる直動案内軸受装置を提供することを目的とする。
【課題を解決するための手段】
【０００７】
上記目的を達成するために、請求項１に係る発明は、軸方向に延びる転動体転動溝を有する案内レールと、該案内レールの前記転動体転動溝に対向する転動体転動溝を有し、これらの両転動体転動溝の間に形成された負荷軌道に挿入された転動体としての多数のころの転動を介して軸方向に沿って相対移動可能に前記案内レールに跨架されたスライダとを備え、
前記スライダは、軸方向に貫通する孔に循環スリーブが嵌め込まれて該循環スリーブの内部が転動体通路とされたスライダ本体と、前記負荷軌道と前記転動体通路とを連通する湾曲状の方向転換路を有して前記スライダ本体の軸方向の端部に固定されたエンドキャップとを具備した直動案内軸受装置であって、
前記循環スリーブの少なくとも一方の端部に前記スライダ本体の軸方向の端面に沿って延びる突出部を設けたことを特徴とする。
【０００８】
請求項２に係る発明は、請求項１において、前記エンドキャップに前記突出部が嵌合される凹部を設け、該突出部を前記凹部に嵌合することにより、前記スライダ本体に対する前記循環スリーブの位相を合わせることを特徴とする。
請求項３に係る発明は、請求項１又は２において、前記突出部が前記方向転換路の一部を形成することを特徴とする。
請求項４に係る発明は、請求項１において、前記スライダ本体の軸方向の端部に凹部を設けると共に、前記突出部に前記凹部に嵌合される凸部を設け、該凸部を前記凹部に嵌合することにより、前記スライダ本体に対する前記循環スリーブの位相を合わせることを特徴とする。
【０００９】
請求項５に係る発明は、請求項１乃至４のうちいずれか１項において、前記突出部を含む前記循環スリーブは、その循環スリーブの中心軸に沿って二分割された第一の循環スリーブ構成部材と第二の循環スリーブ構成部材とから形成され、
前記第一の循環スリーブ構成部材及び前記第二の循環スリーブ構成部材のうち少なくとも一方に、両者を識別するための色彩が施されていることを特徴とする。
【００１０】
請求項６に係る発明は、軸方向に延びる転動体転動溝を有する案内レールと、該案内レールの前記転動体転動溝に対向する転動体転動溝を有し、これらの両転動体転動溝の間に形成された負荷軌道に挿入された転動体としての多数のころの転動を介して軸方向に沿って相対移動可能に前記案内レールに跨架されたスライダとを備えた直動案内軸受装置であって、
前記直動案内軸受装置を構成する部品のうち、一対となる対象形状の部品について、前記一対となる部品のうち少なくとも一方に、両者を識別するための色彩が施されていることを特徴とする。
【発明の効果】
【００１１】
請求項１の発明では、循環スリーブの少なくとも一方の端部にスライダ本体の軸方向の端面に沿って延設された突出部によって、スライダ本体の孔に循環スリーブを挿入した後に該循環スリーブを回転させるためのトルクをかけやすくすることができ、これにより、スライダ本体の孔に対する循環スリーブの位相合わせ作業を容易にすることができる。
また、循環スリーブをスライダ本体の孔に強固に固定するために、孔に対して循環スリーブを中間ばめ、或いは締りばめとした場合においても、孔に嵌め込まれた循環スリーブを回転させるためのトルクを前記突出部によってかけることができるので、前記位相合わせ作業を容易に行うことができる。
【００１２】
請求項２の発明では、請求項１の発明に加えて、エンドキャップに前記突出部が嵌合される凹部を設け、該突出部を前記凹部に嵌合することにより、スライダ本体の孔に対する循環スリーブの位相を合わせることで、組立時に容易に循環スリーブの位相を合わせることができる。
請求項３の発明では、請求項１又は２の発明に加えて、前記突出部が前記方向転換路の一部を形成することで、部品点数を少なくすることができ、また、転動体の循環通路の段差を減らすことができるので、転動体を滑らかに通過させることができる。
【００１３】
請求項４の発明では、請求項１の発明に加えて、スライダ本体の軸方向の端部に凹部を設けると共に、前記突出部に前記凹部に嵌合される凸部を設け、該凸部を前記凹部に嵌合することにより、スライダ本体の孔に対する循環スリーブの位相を合わせることで、組立時に容易に循環スリーブの位相を合わせることができる。
また、凹部が循環スリーブを挿入する孔の目印となるので、誤った孔に循環スリーブを挿入するのを防止することができる。
【００１４】
請求項５の発明では、請求項１乃至４のうちいずれか１項の発明に加えて、前記第一の循環スリーブ構成部材及び前記第二の循環スリーブ構成部材のうち少なくとも一方に、両者を識別するための色彩が施されていることで、一見して一対となる循環スリーブ構成部材を識別し組み合わせを行うことができる。
請求項６の発明では、前記直動案内軸受装置を構成する部品のうち、一対となる対象形状の部品について、前記一対となる部品のうち少なくとも一方に、両者を識別するための色彩が施されていることで、一見して一対となる前記直動案内軸受装置を構成する部品を識別し組み合わせを行うことができる。
【発明を実施するための最良の形態】
【００１５】
以下、本発明の実施の形態を図を参照して説明する。図１は本発明の実施の形態の一例である直動案内軸受装置の要部を説明するための説明図、図２は図１の循環スリーブの構成示す説明図、図３は図１の循環スリーブの左側面図、図４はエンドキャップを部分的に示す図、図５は本発明の他の実施の形態である直動案内軸受装置の要部を説明するための説明図、図６はスライダ本体の軸方向の端面を部分的に示す図である。なお、この実施の形態では、既に図７で説明した従来の直動案内軸受装置と重複又は相当する部分については、各図に同一符号を付してその説明を省略する。
【００１６】
本発明の実施の形態の一例である直動案内軸受装置は、図１から図３に示すように、循環スリーブ８の一端部にスライダ本体２Ａの軸方向の端面に沿って延びる突出部２０を設けている。
また、突出部２０を含む循環スリーブ８は、その循環スリーブ８の中心軸に沿って二分割された第一の循環スリーブ構成部材８Ｒと第二の循環スリーブ構成部材８Ｌとから形成されている。そして、第一の循環スリーブ構成部材８Ｒ及び第二の循環スリーブ構成部材８Ｌの各分割面には、位置決め用の凸部１１及び凹部１２が、第一の循環スリーブ構成部材８Ｒと第二の循環スリーブ構成部材８Ｌとが嵌合される際に、第一の循環スリーブ構成部材８Ｒ及び第二の循環スリーブ構成部材８Ｌのうち一方に形成された凸部１１と他方に形成された凹部１２とが対応する位置に形成されている。そして、循環スリーブ８は、第一の循環スリーブ構成部材８Ｒと第二の循環スリーブ構成部材８Ｌとを、一方の分割面に形成された凸部１１とこれに対応する他方の分割面に形成された凹部１２とが嵌合するように両分割面を重ね合わせることにより形成され、その内部には転動体通路８ａが形成される。そして、この状態で循環スリーブ８をスライダ本体２Ａの孔７に挿入する。
【００１７】
ここで、第一の循環スリーブ構成部材８Ｒ及び第二の循環スリーブ構成部材８Ｌのうち少なくとも一方には、全体的に色彩が施されており、かかる色彩により一見して第一の循環スリーブ構成部材８Ｒと第二の循環スリーブ構成部材８Ｌとを識別し両者の組み合わせを行うことが可能となっている。この場合において、色彩を施す方法としては、循環スリーブ構成部材８Ｒ，８Ｌが、樹脂材料により形成されている場合には樹脂材料自体への着色を行うことが好ましく、金属材料により形成されている場合には金属材料自体への着色が困難なときには塗装等の２次加工によって行ってもよい。
【００１８】
そして、循環スリーブ８をスライダ本体２Ａの孔７に挿入した後、突出部２０を操作することで、循環スリーブ８を回転させるためのトルクをかけやすくすることができ、これにより、スライダ本体２Ａの孔７に対する循環スリーブ８の位相合わせ作業を容易にすることができる。
また、循環スリーブ８の剛性を上げて振動や騒音を抑えるべく、孔７に対して循環スリーブ８を中間ばめ、或いは締りばめとして該循環スリーブ８をスライダ本体２Ａの孔７に強固に固定した場合においても、孔７に嵌め込まれた循環スリーブ８を回転させるためのトルクを前記突出部２０によってかけることができるので、前記位相合わせ作業を容易に行うことができる。
【００１９】
また、この実施の形態では、部品点数を削減すべく、突出部２０に方向転換路１０の内周側軌道１０ａを形成している。この場合、図４に示すように、エンドキャップ９に底部が外周側軌道１０ｂとされた位置決め凹部３０を設け、この位置決め凹部３０に前記突出部２０を嵌め込んでスライダ本体２Ａの孔７に対する循環スリーブ８の位相を合わせることで、組立時に容易に循環スリーブ８の位相を合わせることができる。
【００２０】
更に、突出部２０に方向転換路１０の内周側軌道１０ａを一体に形成することで、円筒ころ６の循環通路の段差を減らすことができるため、円筒ころ６を滑らかに通過させることができる。
更に、この実施の形態では、循環スリーブ８の他端部に、反対側のエンドキャップ９に設けられた穴３１（図４参照）に嵌合される突起３２を設けており、該突起３２を前記穴３１に嵌合することで、循環スリーブ８をより強固に固定するようにしている。
【００２１】
なお、本発明の直動案内軸受装置は上記実施の形態に限定されるものではなく、本発明の要旨を逸脱しない範囲において適宜変更可能である。
例えば、上記実施の形態では、エンドキャップ９に設けた位置決め凹部３０に循環スリーブ８側の突出部２０を嵌め込んでスライダ本体２Ａの孔７に対する循環スリーブ８の位相を合わせるようにした場合を例に採ったが、これに代えて、例えば図５及び図６に示すように、循環スリーブ８側の突出部２０のスライダ本体２Ａの軸方向の端面を向く側に凸部４０を設けると共に、スライダ本体２Ａの軸方向の端面に前記凸部４０が嵌合される凹部４１を設け、該凹部４１に前記凸部４０を嵌め込むことで、スライダ本体２Ａの孔７に対する循環スリーブ８の位相を合わせるようにしてもよい。
【００２２】
この場合、図６を参照して、凹部４１が循環スリーブ８を挿入する孔７（図６の下側）の目印となるので、誤った孔７（図６の上側）に循環スリーブ８を挿入するのを防止することができる。なお、図６の上側の孔７には反対側から循環スリーブ８が挿入され、同様にして、該循環スリーブ８の突出部２０に設けた凸部４０がスライダ本体２Ａの凹部４１に嵌合される。
【００２３】
また、上記実施の形態においては、循環スリーブ８を形成する一対の右循環スリーブ構成部材８Ｒ，８Ｌのうち少なくとも一方に色彩を施した場合を例に採ったが、かかる場合に限定されることはなく、前記直動案内軸受装置を構成する部品のうち、一対となる対象形状の部品についてであれば、両者のうち少なくとも一方に、両者を識別するための色彩を施すことにより、直動案内軸受装置の組立を円滑に行うことができるという効果を得ることが可能である。また、色彩は各部品全体に施す必要はなく、目視により確認がしやすい位置及び範囲において各部品の一部に施すことも可能である。
【図面の簡単な説明】
【００２４】
【図１】本発明の実施の形態の一例である直動案内軸受装置の要部を説明するための説明図である。
【図２】図１の循環スリーブの構成示す説明図である。
【図３】図１の循環スリーブの左側面図である。
【図４】エンドキャップを部分的に示す図である。
【図５】本発明の他の実施の形態である直動案内軸受装置の要部を説明するための説明図である
【図６】スライダ本体の軸方向の端面を部分的に示す図である。
【図７】従来の直動案内軸受装置を説明するための一部を破断した図である。
【符号の説明】
【００２５】
１    案内レール
２    スライダ
２Ａ  スライダ本体
３    転動体転動溝（案内レール側）
５    転動体転動溝（スライダ側）
６    ころ
７    孔
８    循環スリーブ
８Ｒ  右循環スリーブ構成部材
８Ｌ  左循環スリーブ構成部材
８ａ  転動体通路
９    エンドキャップ
１０  方向転換路
１１  凸部
１２  凹部
２０  突出部
３０  凹部
４０  凸部
４１  凹部
【図１】
2006052841.tif 000003
【図２】
2006052841.tif 000004
【図３】
2006052841.tif 000005
【図４】
2006052841.tif 000006
【図５】
2006052841.tif 000007
【図６】
2006052841.tif 000008
【図７】
2006052841.tif 000009